(57)【要約】【課題】本発明は、バッテリの膨張に対してカバーがケースから浮いたり破損してしまうことを抑えることのできる電子機器を提供する。【解決手段】本発明に係る電子機器は、バッテリ７０と、前記バッテリを収容する収容部６２を有するケース６０と、前記ケースと接続して前記バッテリと対向し前記収容部を塞ぐカバー２０と、を具え、前記カバーは、前記バッテリと対向する位置に可撓性を有する膨出構造３０を具備する。前記カバーは、硬質材料からなる第１部材４０と、弾性を有する材料からなる第２部材５０を含んでおり、前記膨出構造は、前記第１部材に１又は複数の曲線、直線及び／又は曲部を組み合わせてなるスリット４２を形成することでバネ性のある撓み部４７を有し、前記スリットを前記第２部材により塞いでいる。【選択図】図１
2015185787.tif 000002
【特許請求の範囲】
【請求項１】
バッテリと、
前記バッテリを収容する収容部を有するケースと、
前記ケースと接続して前記バッテリと対向し前記収容部を塞ぐカバーと、
を具え、
前記カバーは、前記バッテリと対向する位置に可撓性を有する膨出構造を具備する、
電子機器。
【請求項２】
前記カバーは、硬質材料からなる第１部材と、弾性を有する材料からなる第２部材を含んでおり、
前記膨出構造は、
前記第１部材に１又は複数の曲線、直線及び／又は曲部を組み合わせてなるスリットを形成することでバネ性のある撓み部を有し、
前記スリットを前記第２部材により塞いでいる、
請求項１に記載の電子機器。
【請求項３】
前記カバーは、硬質材料からなる第１部材と、弾性を有する材料からなる第２部材を含んでおり、
前記膨出構造は、
前記第１部材は、前記バッテリと対向する位置に開口が形成されており、
前記開口を前記第２部材により塞いでいる、
請求項１に記載の電子機器。
【請求項４】
前記第１部材は、エラストマーである、
請求項１乃至請求項３の何れかに記載の電子機器。
【請求項５】
前記カバーは、前記第１部材と前記第２部材の二色成形により作製される、
請求項１乃至請求項４の何れかに記載の電子機器。
【発明の詳細な説明】
【技術分野】
【０００１】
本発明は、スマートフォンや携帯電話機、携帯型音楽プレーヤなどの電子機器に関するものである。
【背景技術】
【０００２】
スマートフォン、携帯電話機、携帯型音楽プレーヤ、携帯型ゲーム機などの電子機器には、リチウムイオンバッテリ等のバッテリが搭載されている。バッテリは、電子機器のケースに形成された収容部に装着され、外部からカバーによって覆われている（たとえば、特許文献１参照）。カバーは、ポリカーボネート等の硬質樹脂や金属板で作製されている。
【先行技術文献】
【特許文献】
【０００３】
【特許文献１】特開２０１０−１８７２３４号公報
【発明の概要】
【発明が解決しようとする課題】
【０００４】
リチウムイオンバッテリ等のバッテリは、過充電等によって膨張するおそれがある。このバッテリの膨張により、カバーがケースから浮いたり、カバーが破損してしまう可能性がある。
【０００５】
特に、防水仕様の電子機器の場合、カバーが浮いたり破損してしまうことで、防水性が低下してしまうことがある。
【０００６】
本発明の目的は、バッテリの膨張に対してカバーがケースから浮いたり破損してしまうことを抑えることのできる電子機器を提供することである。
【課題を解決するための手段】
【０００７】
本発明に係る電子機器は、
バッテリと、
前記バッテリを収容する収容部を有するケースと、
前記ケースと接続して前記バッテリと対向し前記収容部を塞ぐカバーと、
を具え、
前記カバーは、前記バッテリと対向する位置に可撓性を有する膨出構造を具備する。
【発明の効果】
【０００８】
本発明の電子機器によれば、バッテリが膨張しても、膨出構造が外向きに撓むことで、カバーに加わる負荷を小さくできる。従って、バッテリの膨張により、カバーがケースから浮いたり破損してしまうことを防止できる。
【図面の簡単な説明】
【０００９】
【図１】図１は、本発明の一実施形態に係る電子機器の背面図である。
【図２】図２は、図１の線II−IIに沿う断面図である。
【図３】図３は、電子機器からカバーを取り外した状態を示す背面図である。
【図４】図４は、カバーを内面側から見た図である。
【図５】図５は、図１の線Ｖ−Ｖに沿うカバーの膨出構造及びその近傍の断面図である。
【図６】図６は、カバーの第１部材の背面図である。
【図７】図７は、図２の丸囲み部VIIの拡大図である。
【図８】図８は、図５の状態から、バッテリが膨張した場合における膨出構造の状態を示す説明図である。
【発明を実施するための形態】
【００１０】
以下、本発明の一実施形態について、図面を参照しながら説明を行なう。
本発明を適用可能な電子機器１０として、スマートフォンなどの携帯電話機、タブレット型コンピュータ、ＰＤＡ（Personal Digital Assistant）、携帯型音楽プレーヤ、ノート型パソコン、ゲーム機、腕などに装着するウェアラブルタイプの電子機器などを例示することができる。以下では、本発明をスマートフォンに適用した実施形態について説明する。
【００１１】
図１は、本発明の一実施形態に係る電子機器１０の背面図、図２は、図１の線II−IIに沿う断面図、図３は、電子機器１０からカバー２０を取り外した内部構造を示す図である。
【００１２】
電子機器１０は、概略構成として、図１に示すように、背面の全体をカバー２０によって覆って構成される。カバー２０には、カメラモジュール７２が臨出する開口２２と、撮影用又は簡易照明用のライトモジュール７４が臨出する開口２４が形成されている。また、カバー２０は、ビス１２によって図２に示すケース６０に固定されている。なお、カバー２０は、ケース６０の一部を覆うものでもよく、また、カバー２０のケース６０への接続方法は、ビス止めに限らず、接着、係合等であってもよい。
【００１３】
カバー２０の内側には、図２及び図３に示すように種々の電子部品を内部に収容したケース６０と、図２に示すようにケース６０の側面を覆うサイドカバー６４、ケース６０の正面の一部及び側面を覆うフロントカバー６５を具える。
【００１４】
ケース６０には、図２において下側となる正面側に液晶パネルやタッチパネル等からなる表示モジュール７６を具え、背面側には、図２及び図３に示すように、バッテリ７０が収容される収容部６２が凹設されている。図示の実施形態では、収容部６２は、ケース６０の略中央に形成している。バッテリ７０の容量増及び電子機器１０の薄型化の要請に応えるため、図２に示すように、バッテリ７０は、収容部６２の高さ方向にケース６０の背面と略一致する大きさを有している。バッテリ７０として、たとえばリチウムイオンバッテリを例示できる。
【００１５】
また、ケース６０には、図１及び図３に示すように、カバー２０の開口２２，２４と対応する位置にカメラモジュール７２やライトモジュール７４が搭載されている。その他図示はしないが、ケース６０には、電子機器１０の動作等に必要な種々の電子部品、たとえば、制御基板や音声出力用のレシーバ、音声入力用のマイクロフォン、通信に必要な電子部品、メモリカードのスロット、ＳＩＭカードのスロット等が実装又は形成されている。
【００１６】
ケース６０は、たとえば、ＡＢＳやポリカーボネート等の硬質樹脂や、マグネシウム合金のような金属板から構成することができる。
【００１７】
ケース６０の背面を覆うカバー２０は、本実施形態では、内面を形成する第１部材４０と、第１部材４０の外面を形成する第２部材５０から構成している。第１部材４０は、ポリカーボネートの如き硬質樹脂である。また、第２部材５０は、エラストマーの如き弾性を有する部材である。
【００１８】
カバー２０は、第１部材４０と第２部材５０をたとえば二色成形することで作製することができる。図示の実施形態では、カバー２０は、外観視される部分を第２部材５０、内面側に第１部材４０を配置しているが、第１部材４０の一部が外観に現れるようにしても構わない。また、第１部材４０を外側、第２部材５０を内側に配置することもできる。
【００１９】
第１部材４０に好適な硬質樹脂として、ポリカーボネート、ポリ塩化ビニル、ポリエチレン、ＡＢＳを例示することができる。
【００２０】
第２部材５０に好適な弾性を有する部材として、ポリスチレン系、ポリオレフィン系、塩化ビニル系、ポリウレタン系、ポリエステル系、ポリアミド系、ポリブタジエン系の熱可塑性のエラストマーや、フェノール系、メラミン系、不飽和ポリエステル系、エポキシケイ、ポリウレタン系、シリコーン系の熱硬化性のエラストマーを例示することができる。
【００２１】
カバー２０には、図１及び図２に示すように、カバー２０をケース６０に装着したときに、収容部６２に収容されたバッテリ７０と対向する位置に可撓性を有する膨出構造３０が形成されている。
【００２２】
膨出構造３０は、バッテリ７０が膨張したときに、その膨張に追従して変形し、カバー２０のケース６０への取付構造に影響を与えない構造である。
【００２３】
たとえば、図１、カバー２０を内側から見た図４、及び、図１の線Ｖ−Ｖに沿う断面図５に示すように、第１部材４０に、複数の曲線、直線及び曲部を組み合わせてなるスリット４２を形成することで、第１部材４０にバネ性のある撓み部４７を形成し、このスリット４２を第２部材５０で塞いだ構造を例示できる。本実施形態では、図５に示すように、第１部材４０のスリット４２に第２部材５０が充填されると共に、撓み部４７の外面を覆うように第２部材５０を形成している。
【００２４】
より具体的には、図６に示すように、第１部材４０は、円弧中心Ｏを有し、円弧中心Ｏに対して対向する位置を始点とする大径円弧スリット４３，４３と小径円弧スリット４４，４４の終点どうしを直線スリット４５、４５で夫々連繋したスリット４２を有する。第１部材４０には、スリット４２間に屈曲した帯状のブリッジ状に撓み部４７が形成される。この撓み部４７は、第１部材４０の厚さに対して細幅であるため可撓性とバネ性（弾力性）を有する。従って、撓み部４７を内側から外側に向けて押し込むと、撓み部４７は、外側に向けて膨出可能となっている。
【００２５】
そして、スリット４２の形成された第１部材４０の外面に、図１、図２、図４及び図５に示すように第２部材５０を成形することで、膨出構造３０を有するカバー２０を作製することができる。
【００２６】
スリット４２を塞ぐ第２部材５０は、弾性を有する材料であるから、撓み部４７の変形に追従して第２部材５０も伸びる。
【００２７】
上記により構成された膨出構造３０を具備することで、カバー２０は、内側から外向きの力が作用したときに撓み部４７が外向きに撓み、これに伴って第２部材５０も伸びる。従って、カバー２０に作用する負荷を小さくすることができる。
【００２８】
上記膨出構造３０を有するカバー２０は、収容部６２にバッテリ７０を収容した状態で、図１に示したようにビス１２によってケース６０に固定される。
【００２９】
なお、防水仕様の電子機器１０では、図７に示すように、たとえば、ケース６０の周縁を一周する凹溝６７を形成し、カバー２０には凹溝６７に対応した位置にリブ２６を突設する。そして、凹溝６７に耐水性の接着剤６８やシリコーンゴムなどのシール材を充填した状態でリブ２６を嵌め込むことで防水構造を形成し、電子機器１０の防水性が実現できる。
【００３０】
上記構成の電子機器１０において、バッテリ７０が膨張した場合、バッテリ７０と対向する位置に設けられたカバー２０は、図８に示すように、バッテリ７０から矢印Ａ方向の力を受ける。本発明では、カバー２０に膨出構造３０を有しているから、バッテリ７０が膨張したときに、その膨張に追従して、膨出構造３０が外向きに膨れ出る。
【００３１】
より詳細には、撓み部４７が外向きに撓むと共に、第２部材５０も伸びる。これにより、カバー２０の膨出構造３０は、外側に膨れ出る。
【００３２】
膨出構造３０が外向きに膨れ出ることで、バッテリ７０の膨張によりカバー２０に作用する負荷を小さくすることができ、カバー２０の破損を抑えることができる。また、カバー２０に作用する負荷が小さいことから、カバー２０をケース６０に固定又は取り付けする構造に作用する力も小さくでき、カバー２０がケース６０から浮いたり外れたりすることを抑えることもできる。
【００３３】
とくに、防水仕様の電子機器１０の場合には、カバー２０の破損やカバー２０の浮き等を抑えられるから、防水性の低下も抑えられる。従って、上述した凹溝６７とリブ２６からなる防水構造を設ける場合であっても、その防水構造の簡素化を図ることができる。たとえば、防水性を維持するための凹溝６７の深さやリブ２６の高さを低くし、凹溝６７に充填される接着剤６８やシール材を少なくすることもできる。
【００３４】
また、たとえば、カバー２０の少なくとも外面の一部を、弾性を有する部材である第２部材５０とすることで、電子機器１０の手触りを柔らかなものとすることができると共に、カバー２０の特に角部にまで第２部材５０を用いることで、電子機器１０の落下等の衝撃による破損を低減することもできる。
【００３５】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３６】
膨出構造３０は、上記した実施形態に限定されるものではない。たとえば、撓み部４７を形成するスリット４２の形状は種々選択可能である。その一例として、渦巻き状にスリットを形成することができる。
【００３７】
また、膨出構造３０として、第１部材４０にバッテリ７０の背面形状と略一致する開口を設け、この開口を第２部材で塞ぐようにしてもよい。
【００３８】
さらに、カバー２０全体を第２部材５０で形成することもできる。
【符号の説明】
【００３９】
１０  電子機器
２０  カバー
３０  膨出構造
４０  第１部材
４２  スリット
４７  撓み部
５０  第２部材
６０  ケース
６２  収容部
７０  バッテリ
【図１】
2015185787.tif 000003
【図２】
2015185787.tif 000004
【図３】
2015185787.tif 000005
【図４】
2015185787.tif 000006
【図５】
2015185787.tif 000007
【図６】
2015185787.tif 000008
【図７】
2015185787.tif 000009
【図８】
2015185787.tif 000010